(57)【特許請求の範囲】
【請求項１】
胴体１の案内柱５の上部に引手取付用の取付柱６を立設し、胴体１の両側にガイドフランジ７を屈設し、その間にガイド溝８を形成した隠しタイプのスライダーにおいて、取付用の窓孔１９を備えたクランパー３の基端部２０に引手取付用のフック部２２を一体に連設し、該フック部２２の開口部２７を閉塞するＵ字状の弾性板２８を窓孔１９の基端部２０に跨設し、弾性板２８の両先端をフック部２２の内面に弾接させ、フック部２２に引手２を回動自在に装着し、該クランパー３を直接間接を問わず取付柱６に装着し、かつクランパー３は中間に屈曲部２１を設けてヘ字状に屈設し、該クランパー３は胴体１の後口側へ倒伏するように配されたことを特徴とする隠しスライドファスナー用スライダー。
【請求項２】
クランパー３の三角状の窓孔１９の基端部２０に隆起状の引手取付用のフック部２２を一体に連設し、クランパー３の内縁に膨出部３２を設けて弾性板２８の折曲部３１を固定した自動停止機構を備えてなる請求項１記載の隠しスライドファスナー用スライダー。
【発明の詳細な説明】
【０００１】
【発明の属する技術分野】
この発明は、隠しスライドファスナーに使用される自動停止機構を備えたスライダー、あるいは自由タイプのスライダーであって、ファスナーチェンの開口操作時または停止時に、クランパーにおける引手支持部が低く生地に接するように配置され、またファスナーチェンの閉鎖操作時にクランパーによって引手支持部が高く配されるように形成した隠しスライドファスナー用スライダーに関するものである。
【０００２】
【従来の技術】
従来の隠しスライドファスナーに使用される自由タイプのスライダーは、胴体の案内柱の上面に設けた取付柱に、平坦状のトライアングル型のクランパーを回動自在に取付け、このトライアングル型のクランパーの一端に引手の取付部を取付けた形態のスライダーがよく知られている。
【０００３】
また隠しスライドファスナーにおける自動停止装置付スライダーは、図８に示すように胴体の案内柱に板バネによって弾性を付与した爪杆を取付柱に揺動自在に装着し、先端の停止爪を胴体のガイド溝に出没可能に形成し、この爪杆に平板状のトライアングル型のクランパーの先端を遊嵌し、基端部に引手を回動自在に枢支した隠しタイプの自動停止装置付スライダーが実開平７−１６６０８号公報に開示されている。
【０００４】
また、図９に示すように普通タイプのスライドファスナー用スライダーにおいて、引手を胴体に取付けるためのクランパー本体が、平板状で円形の窓孔を設け、クランパー本体の一端に支軸部を設けるとともに、その外方に引手取付用のフック状の引手掛止部を隆起状に一体に連設して引手を取付け、支軸部にＵ字状の弾性部材を跨設し、弾性部材の一方の先端をト字状に形成して係止片を突設し、引手掛止部の上板内面に凹設した被係止部にこの係止片を係止し、弾性部材の他端に設けた係止片を引手掛止部の下板の内面に設けた被係止部に弾接可能に形成し、クランパー本体を胴体上面にコ字状に突設した取付部に装着したスライダーが実公平７−２１１２２号公報に開示されている。
【０００５】
【発明が解決しようとする課題】
前項で述べた従来よく知られた自由タイプの隠しスライドファスナー用スライダー、および図８に示す隠しスライドファスナーの自動停止装置付スライダーは、ともにスライダーを停止した状態では、被服などの生地の縁部による圧力によってクランパーが立ち上がって生地から突出するため、引手の取付部も当然突出し、引手自体がぶらつき不体裁である。また自動停止装置付スライダーにあっては、スライダーをファスナーチェンの閉鎖方向へ摺動させるとき、引手によってクランパーは爪杆を持ち上げ摺動するが、引手の持ち方によってはクランパーが一定方向に指向せず、左右に自由自在に傾倒したまま摺動するので、生地との摩擦抵抗が大きく、スライダーの摺動が重く円滑に操作ができない。特に厚手の生地の場合はその傾向が顕著であるなど問題点がある。
【０００６】
また、図９に示すクランパーは、普通タイプのスライドファスナーに用いるスライダーに取付けるものであり、そのためクランパーの取付部分に設けた窓孔は円形で大きく、前述の立ち上がりの問題や、生地との干渉が大きく、ファスナーチェンの開閉時に生地を傷つけるので、隠しタイプの自動停止装置付スライダーには使用することができない。またクランパーの支軸部に跨設したＵ字状の弾性部材における折返部がクランパーに対し固定されていないため、クランパー内でがたつきが生じ不安定であり、引手の操作が円滑に行われないなど問題点がある。
【０００７】
この発明は、上述の問題点を考慮して発明されたものであり、請求項１記載の発明は、隠しスライドファスナーにおける自由スライダーおよび自動停止装置付スライダーにおいて、スライドファスナーを使用する際、被服などの生地がスライダー胴体とクランパーとの間に喰い込み、クランパーが立ち上がっても引手がぶらつかないよう引手を生地に押しつける作用が働き、引手が生地に接触垂下され、引手の位置が安定し、見た目がよく、しかもファスナーチェンの開閉操作がきわめて軽快かつ円滑に行なえ、そのうえＵ字状の弾性板の一端を押圧することにより、簡単かつ容易に引手を取り替えることができる隠しスライドファスナー用の自由スライダー、自動停止装置付スライダーを提供することが主たる目的である。
【０００８】
請求項２記載の発明は、請求項１記載の発明の目的に加え、隠しタイプの自動停止装置付スライダーのクランパーに取付けられた引手をいかなる向きに持って摺動操作を行っても、クランパーが略一定方向を指向するクランパーであり、そのうえクランパーに配設されている弾性板の固定が堅固であり、長期の使用に耐えられ円滑な操作が行える隠しスライドファスナー用の自動停止装置付スライダーを提供することが目的である。
【０００９】
【課題を解決するための手段】
前記の目的を達成するため、この発明のうち請求項１記載の発明は、スライダーの胴体１における案内柱５の上部に引手取付用の取付柱６を立設し、胴体１の両側にファスナー咬合子Ｅをガイドするガイドフランジ７を屈設し、その間にファスナー咬合子Ｅが摺動できるガイド溝８を形成した隠しタイプのスライダーにおいて、胴体１に取付けるための窓孔１９を備えたクランパー３の基端部２０に引手取付用のフック部２２を一体に連設し、該フック部２２の開口部２７を閉塞するＵ字状の弾性板２８を窓孔１９の基端部２０に跨設し、Ｕ字状の弾性板２８の両先端をフック部２２の内面に弾接させ、フック部２２に引手２を回動自在に装着し、このクランパー３を直接間接を問わず胴体１に立設した取付柱６に装着し、かつクランパー３は中間に屈曲部２１を設けて、ヘ字状に屈設形成し、装着されるクランパー３は胴体１の後口側へ倒伏する形態に配された隠しスライドファスナー用スライダーを主な構成とするものである。
【００１０】
請求項２記載の発明は、請求項１記載の発明の構成に加え、クランパー３の三角状の窓孔１９の基端部２０に，表面へ隆起する引手取付用のフック部２２を基端部２０と段差状に一体に連設し、クランパー３の両側内縁を押し潰した膨出部３２を設けて弾性板２８の跨設部分の折曲部３１を固定した自動停止機構を備えた隠しスライドファスナー用スライダーである。
【００１１】
【発明の実施の形態】
以下、この発明に関する隠しスライドファスナー用スライダーの実施の形態について、図面を参照しながら具体的に説明する。
【００１２】
この発明の隠しスライドファスナー用自動停止装置付スライダーは、図１に示すようにスライダー胴体１の前方における案内柱５の上部に取付柱６を立設し、この取付柱６の後端を挟んで胴体１の両側にファスナー咬合子Ｅをガイドするための先端が屈曲する鍵形のガイドフランジ７を屈設し、その間にガイド溝８を形成した隠しタイプのスライダー胴体１であり、取付柱６の縦方向に凹設した凹溝９に弾発性を備えた爪杆４を枢支し、爪杆４の先端に突設した停止爪１６をガイド溝８に出没できるように形成し、この爪杆４に引手２を連結したクランパー３を遊嵌した隠しタイプの自動停止装置付スライダーである。
【００１３】
スライダーは図２に示すように、胴体１における案内柱５の上部に立設した取付柱６に凹溝９を縦方向に刻設し、この凹溝９の前方は前壁１０によって封鎖され、その内方に縦孔１１を案内柱５内に設け、縦孔１１にコイル状のスプリング１２を内装させ、スプリング１２の上端を爪杆４の後端に弾接させる。また案内柱５の上面後端には両側に設けたガイドフランジ７と同高の三角状の突片１３を後口側に延設し、この突片１３に爪杆４に設けた停止爪１６を嵌挿する透孔１４が穿設されている。凹溝９に嵌装する爪杆４は全体が鍵形を呈し、一端下面には凹部１５が設けられ、コイル状のスプリング１２が安定して弾接できるように形成し、他端に停止爪１６を突設して前記案内柱５の後端に延設した突片１３の透孔１４に嵌挿し、先端をガイド溝８に突出できるように形成し、また停止爪１６の基部に凹陥部１７を凹設してクランパー３の先端を遊嵌できるように形成し、この爪杆４を凹溝９に嵌入し、中央をピン１８によって取付柱６に回動自在に枢支する。
【００１４】
クランパー３は爪杆遊嵌用の窓孔１９を設け、この窓孔１９は三角状であり、窓孔１９の両側縁における中間部分から下向状すなわちへ字状に折曲して屈曲部２１を配設し、この屈曲部２１はクランパー３を爪杆４に嵌挿し、図２に示すように上方へ引き上げたとき、胴体１における取付柱６の内側表面か隅角部６’に当接できる範囲に配設し、クランパー３が直立状態を採り引手２の支持点が高く安定した状態に突出するように形成するのがよい。
【００１５】
クランパー３は窓孔１９に続いて表面へ一段と隆起し、引手２を取付けるためのフック部２２を窓孔１９の基端部２０とは段差を呈する形で一体に連設する。
そしてフック部２２における上片２３の内面に凹部２５、また下片２４の先端に凹部２６を設け、基端部２０にＵ状の弾性板２８がフック部２２の開口部２７を閉塞するように跨設し、弾性板２８の一端に表面へ突出する切爪２９を設け、他端には外側へ折曲する突片３０を設け、切爪２９と凹部２５が係止し、また突片３０と凹部２６とが弾接できるように形成されている。さらに弾性板２８は基端部２０に跨設した折曲部３１の両側縁に、クランパー３の両側内縁を押し潰した膨出部３２を設けて弾性板２８を強固に固定する。
【００１６】
引手２は図３に示すように摘手３３の先端に円環状の取付部３４を水平状に設け、クランパー３に嵌挿し易い形状に形成し、引手２はクランパー３の基端部２０に跨設した弾性板２８の一端の突片３０を押圧してフック部２２に取付け、またフック部２２から取外すときは突片３０を圧してフック部２２の開口部２７から引手２の取付部３４を抜脱させればよい。したがってこのタイプのクランパー３は引手２を自由に交換できるように形成されている。
【００１７】
スライダーの組立ては簡単で、まず胴体１における取付柱６の凹溝９に設けた縦孔１１にコイル状のスプリング１２を挿入し、爪杆４にクランパー３を遊嵌させた後、爪杆４の停止爪１６を透孔１４に嵌挿させるとともに、爪杆４の凹部１５とプリング１２の上端とが弾接する状態で爪杆４を凹溝９に嵌入し、ピン１８によって取付柱６に軸着して回動自在に枢支する、スライダー組立加工は自動組立加工機によって組立る。
【００１８】
隠しスライドファスナー用自動停止装置付スライダーは、以上説明した構成からなり、この隠しタイプの自動停止装置付スライダーの使用態様について説明すると、ファスナーチェンＦが途中まで閉鎖された状態においては、スライダーは図３、４に示すように、クランパー３が屈曲部２１によって折曲されている関係で引手２が生地Ｃに密接する状態におかれる。そしてクランパー３は図５に示すように生地Ｃがスライダー胴体１とクランパー３の間に喰い込む形となり、クランパー３を斜め後方へ押し上げるが、屈曲部２１によって引手取付用のフック部２２が生地Ｃに接する形を採るから、引手２がぶらつかず安定した状態で垂下する。
【００１９】
次にファスナーチェンＦを開口させるには、引手２を斜め後方へ引張れば容易にファスナーチェンＦを開口させることができる。また開口状態のファスナーチェンＦを閉鎖させるには、図２に示すように引手２を矢印方向へ引張るとクランパー３の屈曲部２１が胴体１の取付柱６の内側表面または隅角部６’に当接し、さらに引張ることにより梃子の原理で爪杆４がコイル状のスプリング１２を圧して持ち上げられ、同時に停止爪１６をファスナー咬合子Ｅから抜脱させ、その際クランパー３はあまり傾倒せずにフック部２２を起立状態に保持し、したがって引手２の支持点が高い位置に設定されるから、生地Ｃとの接触を避け安定した状態でスライダーを前方へ簡単に摺動させ、ファスナーチェンＦを閉鎖させることができる。
【００２０】
図６に示した隠しタイプの自動停止装置付スライダーは、前記の実施態様と異なるところは，スライダー胴体１における取付柱６内に配設する爪杆４、スプリング１２の形態、および取付柱６に凹溝９を設け、この凹溝９の底部が胴体１の表面よりも一段低く凹設され、凹溝９の前面に前壁１０を設け、この前壁１０の基部に内側へ突出する切起し舌片３５を設けるとともに、底部にＵ字状の係合凹部３６を凹設する。凹溝９に収納する爪杆４は先端に停止爪１６、他端にＵ字状に突出する係合凸部３７を設け、この係合凸部３７の上面に段部３８を設け、爪杆４を凹溝９に収納するが、その際係合凹部３６に係合突部３７を嵌入し、段部３８に舌片３５を当接させることによって、爪杆４を胴体１に枢支させ、爪杆４の上面にＵ字状板バネのスプリング１２を弾接可能に取付柱６に取付け、爪杆４を揺動自在に枢支させ、この爪杆４に前記実施形態のクランパー３と同一のクランパー３を装備させた隠しタイプの自動停止装置付スライダーである。
【００２１】
図７に示したスライダーは、隠しスライドファスナーにおける自由タイプのスライダーであり、スライダーに装備された引手２およびクランパー３は、図１〜５に示された第１実施形態の自動停止装置付スライダーに用いられている引手２とクランパー３と同一形態のものである。
【００２２】
クランパー３は、胴体１に立設した取付柱６に取付けるための窓孔１９を設け、この窓孔１９は三角状であり、窓孔１９の両側縁における中間部分に屈曲部２１を配設してクランパー３を下向状すなわちへ字状に折曲形成し、窓孔１９に続いて表面へ一段と隆起し、引手２を取付蹴るためのフック部２２を窓孔１９の基端部２０とは段差を呈する形で一体に連設し、このフック部２２における上片２３の内面に凹部、また下片２４の先端に凹部を設け、基端部２にＵ状の弾性板２８がフック部２２の開口部を閉塞するように跨設し、弾性板２８の一端に表面へ突出する切爪を設け、他端には外側へ折曲する突片を設け、切爪が前記上片２３の凹部に係止し、また突片と下片２４に設けた凹部とが弾接できるように形成され、弾性板２８は基端部２０に跨設した折曲部３１の両側縁に、クランパー３の両側内縁を押し潰して形成した膨出部３２によって弾性板２８を固定する。
【００２３】
引手２は摘手３３の先端に円環状の取付部３４を水平状に設け、クランパー３に嵌挿し易い形状に形成し、引手２はクランパー３の弾性板２８の一端を押圧してフック部２２に嵌入し取付けられ、またフック部２２から弾性板２８の突片を圧して取外すことができ、自由に引手２を交換することができるように形成されている。
【００２４】
上記のように引手２とクランパー３とを組付けたクランパー３は、スライダー胴体１の案内柱５の上面に立設したＵ状のクランパー取付柱６に、クランパー３の窓孔１９を嵌入し、その後で取付柱６を加締め加工してクランパー３を胴体１に装着した隠しスライドファスナーの自由タイプのスライダーである。
【００２５】
なお、以上説明したスライダーにおいては、スライダー胴体１および引手２は金属のダイキャスト成形加工によって成形し、クランパー３および爪杆４は金属板のプレス加工によって製作するのが好ましい。
【００２６】
【発明の効果】
この発明の隠しスライドファスナー用スライダーは、以上説明したとおりの構成であり、この構成によって下記の効果を奏する。
【００２７】
この発明のうち請求項１記載の発明は、隠しスライドファスナーにおける自由タイプのスライダーおよび自動停止装置付スライダーにおいて、取付用の窓孔を備えたクランパーの基端部に引手取付用のフック部を一体に連設し、このフック部の開口部を閉塞するＵ字状の弾性板を窓孔の基端部に跨設し、弾性板の両先端をフック部の内面に弾接させ、フック部に引手を回動自在に装着し、クランパーを直接間接を問わず取付柱に装着し、クランパーは中間に屈曲部を設けてへ字状に屈設し、クランパーの装着を胴体の後口側へ倒伏するように配したことによって、スライドファスナーを用いる際、被服などの生地がスライダー胴体とクランパーとの間に喰い込み、クランパーが立ち上がっても引手がぶらつかないよう引手を生地に押しつける作用が働き、引手が生地に接触するように垂下されるので、引手の位置が安定し、見た目がよく、しかもファスナーチェンの開閉操作がきわめて軽快かつ円滑に行え、そのうえフック部内に弾接させたＵ字状の弾性板の一端を押圧することにより、簡単かつ容易に引手を取り替えることができる効果がある。
【００２８】
請求項２記載の発明は、請求項１記載の発明の効果に加え、クランパーの三角状の窓孔の基端部に隆起状の引手取付用のフック部を一体に連設し、クランパーの内縁を圧潰した膨出部を設けて弾性板の折曲部を固定したことによって、クランパーに取付た引手をいかなる向きに持って摺動操作を行っても、クランパーが一定方向を指向し、クランパーに配設した弾性板の基部をクランパーに強固に固定しているから、がたつくことなく長期の使用に耐え円滑な操作が行える効果があるなど、この発明が奏する効果はきわめて顕著である。
【図面の簡単な説明】
【図１】隠しスライドファスナー用の自動停止装置付スライダーの斜視図である。
【図２】同上スライダーの縦断面図である。
【図３】同上スライダーの使用状態を示す一部切欠した斜視図である。
【図４】同上スライダーの使用状態を示す一部切欠した側面図である。
【図５】同上スライダーの使用状態を示す横断面図である。
【図６】第２実施形態の隠しスライドファスナー用の自動停止装置付スライダーの縦断面図である。
【図７】第３実施形態の隠しスライドファスナー用の自由タイプのスライダーの斜視図である。
【図８】公知の隠しスライドファスナー用自動停止装置付用スライダーの分解斜視図である。
【図９】公知の普通タイプの自動停止装置付スライダーのクランパーの斜視図である。
【符号の説明】
１      胴体
２      引手
３      クランパー
４      爪杆
５      案内柱
６      取付柱
６’    隅角部（取付柱）
７      ガイドフランジ
８      ガイド溝
１６    停止爪
１９    窓孔
２０    基端部
２１    屈曲部
２２    フック部
２８    弾性板
３１    折曲部
３２    膨出部
Ｆ      ファスナーチェン
Ｅ      ファスナー咬合子
Ｃ      生地
【図１】
0003580337.tif 000002
【図２】
0003580337.tif 000003
【図３】
0003580337.tif 000004
【図４】
0003580337.tif 000005
【図５】
0003580337.tif 000006
【図６】
0003580337.tif 000007
【図７】
0003580337.tif 000008
【図８】
0003580337.tif 000009
【図９】
0003580337.tif 000010